(57)【要約】    【課題】  本発明は、バネアシスト式スライドユニットを介して本体筐体と蓋体筐体とを組付け、上記蓋体筐体をスライド可能に構成して成る電子機器を対象とし、バネアシスト式スライドユニットに対する機器筐体の組付け作業を容易かつ正確に実施でき、生産性および品質の向上を達成することを目的とする。    【解決手段】  本発明の電子機器は、蓋体筐体にバネアシスト式スライドユニットのユニット本体を設置し、かつ該バネアシスト式スライドユニットのスライダに本体筐体を設置し、蓋体筐体が閉位置の状態において、本体筐体に形成した抜止めフックを蓋体筐体に形成したストッパ縁部に係合するよう構成した電子機器であって、本体筐体と蓋体筐体とが互いに分離した状態において蓋体筐体のストッパ縁部と対向するスライダの縁部に本体筐体の抜止めフックと係合し得る係合部を設けている。    【選択図】  図６
2008147867.tif 000002
【特許請求の範囲】
【請求項１】
本体筐体および蓋体筐体と、前記本体筐体に対して前記蓋体筐体を開方向および閉方向へ付勢するバネアシスト式スライドユニットとを備え、前記蓋体筐体に前記バネアシスト式スライドユニットのユニット本体を設置し、かつ該バネアシスト式スライドユニットのスライダに前記本体筐体を設置し、前記本体筐体を覆う閉位置と前記本体筐体を露呈させる開位置との間において前記蓋体筐体をスライド可能とするとともに、前記蓋体筐体が閉位置に占位している状態において、前記本体筐体に形成した抜止めフックを前記蓋体筐体に形成したストッパ縁部に係合させ、前記本体筐体と前記蓋体筐体との剥離を防止するよう構成した電子機器であって、
前記本体筐体と前記蓋体筐体とが互いに分離した状態において、前記蓋体筐体の前記ストッパ縁部と対向する前記スライダの縁部に、前記本体筐体の前記抜止めフックと係合し得る係合部を設けて成ることを特徴とする電子機器。
【請求項２】
本体筐体および蓋体筐体と、前記本体筐体に対して前記蓋体筐体を開方向および閉方向へ付勢するバネアシスト式スライドユニットとを備え、前記蓋体筐体に前記バネアシスト式スライドユニットのユニット本体を設置し、かつ該バネアシスト式スライドユニットのスライダに前記本体筐体を設置し、前記本体筐体を覆う閉位置と前記本体筐体を露呈させる開位置との間において前記蓋体筐体をスライド可能とするとともに、前記蓋体筐体が閉位置に占位している状態において、前記本体筐体に形成した抜止めフックを前記蓋体筐体に形成したストッパ縁部に係合させて前記本体筐体と前記蓋体筐体との剥離を防止し、前記本体筐体と前記蓋体筐体とが互いに分離した状態において、前記蓋体筐体の前記ストッパ縁部と対向する前記スライダの縁部に、前記本体筐体の前記抜止めフックと係合し得る係合部を設けて成る電子機器を対象とした電子機器の製造方法であって、
前記本体筐体と前記蓋体筐体とが互いに分離した状態から、前記蓋体筐体の前記ストッパ縁部と対向している前記スライダの前記係合部に、前記本体筐体の前記抜止めフックを係止させる工程と、
前記蓋体筐体を開方向へ移動させて、前記スライダを前記蓋体筐体に対して相対的に開方向へ移動させる工程と、
前記本体筐体の前記抜止めフックを前記蓋体筐体に挿入し、前記本体筐体と前記スライダとを互いに当接させる工程と、
前記蓋体筐体を閉方向へ移動させて、前記抜止めフックを前記蓋体筐体の前記ストッパ縁部に係合させるとともに、閉方向へ付勢される前記スライダにより、前記抜止めフックを前記ストッパ縁部に押圧し、前記本体筐体と前記蓋体筐体とを互いに位置決めする工程と、
前記スライダに前記本体筐体を固定する工程とを含んで成ることを特徴とする電子機器の製造方法。
【発明の詳細な説明】
【技術分野】
【０００１】
本発明は、バネアシスト式スライドユニットを介して本体筐体と蓋体筐体とを組付け、本体筐体を覆う閉位置と本体筐体を露呈させる開位置との間において、上記蓋体筐体をスライド可能に構成して成る電子機器、および電子機器の製造方法に関するものである。
【背景技術】
【０００２】
例えば、電子機器の一例である携帯電話機には、使用時における使い易さと携帯時のコンパクト化とを両立させる目的で、本体筐体と蓋体筐体とをスライド機構によって連結した、いわゆるスライド開閉式の携帯電話機が提供されている(例えば、特許文献１参照)。
【０００３】
図１１〜図１３に示す如く、従来のスライド開閉式の携帯電話機Ａは、操作キーＢｋ、Ｂｋ…および送話部Ｂｍ等を有する本体筐体Ｂと、液晶表示部Ｃｄおよび受話部Ｃｒ等を有する蓋体筐体Ｃとを備え、これら本体筐体Ｂと蓋体筐体Ｃとは、バネアシスト式スライドユニットＵを介して互いに連結されており、上記蓋体筐体Ｃは、図１１(ａ)に示す如く本体筐体Ｂに重なって全体を覆う閉位置と、図１１(ｂ)に示す如く本体筐体Ｂの操作キーＢｋ、Ｂｋ…等を露呈させる開位置との間をスライド移動する。
【０００４】
本体筐体Ｂと蓋体筐体Ｃとの間に介装されたバネアシスト式スライドユニットＵは、左右に一対のガイドレールＵｌ、Ｕｌを形成したベースフレームＵｂと共に付勢バネ(図示せず)を有するユニット本体Ｕａと、該ユニット本体ＵａのガイドレールＵｌ、Ｕｌに沿って、閉側端位置(図１２)と開側端位置(図１３(ｂ))との間を移動し得るスライダＵｓとを具備している。
【０００５】
上記スライダＵｓは、ユニット本体Ｕａの付勢バネ(図示せず)により、移動範囲の中央域を境にして閉側端位置および開側端位置へ向けて付勢され、かつバネ(図示せず)に付勢されることにより、閉側端位置および開側端位置を維持することとなる。
【０００６】
一方、携帯電話機Ａの本体筐体Ｂは、内ケースＢｉと外ケースＢｏとを互いに組付けて成り、また蓋体筐体Ｃは内ケースＣｉと外ケースＣｏと互いに組付けて成っており、上記バネアシスト式スライドユニットＵは、ユニット本体Ｕａ(ベースフレームＵｂ)を蓋体筐体Ｃの内ケースＣｉに取付け、スライダＵｓを本体筐体Ｂの内ケースＢｉに取付けている。
【０００７】
また、本体筐体Ｂにおける内ケースＢｉには、抜止めフックＢｈが突出形成している一方、蓋体筐体Ｃにおける内ケースＣｉには、ストッパ縁部Ｃｓが形成されており、図１１(ａ)および図１３(ａ)に示す如く、本体筐体Ｂに対して蓋体筐体Ｃが閉位置に占位している状態において、本体筐体Ｂの抜止めフックＢｈが蓋体筐体Ｃのストッパ縁部Ｃｓと係合し、これによって本体筐体Ｂと蓋体筐体Ｃとの剥離を防止するように構成されている。
【特許文献１】特開２００６−１６５８５４号公報
【発明の開示】
【発明が解決しようとする課題】
【０００８】
ところで、上述したスライド開閉式の携帯電話機Ａを製造する際、本体筐体Ｂと蓋体筐体Ｃとを互いに組付ける工程では、蓋体筐体Ｃの内ケースＣｉにバネアシスト式スライドユニットＵのユニット本体Ｕａ(ベースフレームＵｂ)をネジ止めし、次いでバネアシスト式スライドユニットＵのスライダＵｓに、本体筐体Ｂの内ケースＢｉをネジ止めする。
【０００９】
ここで、スライダＵｓに本体筐体Ｂの内ケースＢｉを取付ける際、上記スライダＵｓが閉側端位置に占位している状態では、蓋体筐体Ｃの内ケースＣｉのストッパ縁部ＣｓとスライダＵｓの縁部とが近接しており、上記ストッパ縁部ＣｓとスライダＵｓとの間に抜止フックＢｈを差し入れて、本体筐体Ｂの内ケースＢｉをスライダＵｓに載置させることは難しい。
【００１０】
そこで、バネアシスト式スライドユニットＵのスライダＵｓを開側端位置に占位させ、このスライダＵｓに本体筐体Ｂの内ケースＢｉをネジ止めしているが、このとき、スライダＵｓに対する内ケースＢｉの位置決めを行いながら、保持した内ケースＢｉをスライダＵｓにネジ止めする必要があり、作業が極めて繁雑なものとに成るばかりでなく、スライダＵｓに対して内ケースＢｉを正確に位置決めすることが難しく、取付位置の歪み等によって製品の品質の低下を招いてしまう不都合があった。
【００１１】
本発明の目的は上記実状に鑑みて、バネアシスト式スライドユニットに対する機器筐体の組付け作業を容易かつ正確に実施でき、もって生産性および品質の向上を達成し得る電子機器、および電子機器の製造方法を提供することにある。
【課題を解決するための手段】
【００１２】
請求項１の発明に関わる電子機器は、本体筐体および蓋体筐体と、本体筐体に対して蓋体筐体を開方向および閉方向へ付勢するバネアシスト式スライドユニットとを備え、蓋体筐体にバネアシスト式スライドユニットのユニット本体を設置し、かつ該バネアシスト式スライドユニットのスライダに本体筐体を設置し、本体筐体を覆う閉位置と本体筐体を露呈させる開位置との間において蓋体筐体をスライド可能とするとともに、蓋体筐体が閉位置に占位している状態において、本体筐体に形成した抜止めフックを蓋体筐体に形成したストッパ縁部に係合させ、本体筐体と蓋体筐体との剥離を防止するよう構成した電子機器であって、
本体筐体と蓋体筐体とが互いに分離した状態において、蓋体筐体のストッパ縁部と対向するスライダの縁部に、本体筐体の抜止めフックと係合し得る係合部を設けて成ることを特徴としている。
【００１３】
請求項２の発明に関わる電子機器の製造方法は、本体筐体および蓋体筐体と、本体筐体に対して蓋体筐体を開方向および閉方向へ付勢するバネアシスト式スライドユニットとを備え、蓋体筐体にバネアシスト式スライドユニットのユニット本体を設置し、かつ該バネアシスト式スライドユニットのスライダに本体筐体を設置し、本体筐体を覆う閉位置と本体筐体を露呈させる開位置との間において蓋体筐体をスライド可能とするとともに、蓋体筐体が閉位置に占位している状態において、本体筐体に形成した抜止めフックを蓋体筐体に形成したストッパ縁部に係合させて本体筐体と蓋体筐体との剥離を防止し、本体筐体と蓋体筐体とが互いに分離した状態において、蓋体筐体のストッパ縁部と対向するスライダの縁部に、本体筐体の抜止めフックと係合し得る係合部を設けて成る電子機器を対象とした電子機器の製造方法であって、
本体筐体と蓋体筐体とが互いに分離した状態から、蓋体筐体のストッパ縁部と対向しているスライダの係合部に、本体筐体の抜止めフックを係止させる工程と、
蓋体筐体を開方向へ移動させて、スライダを蓋体筐体に対して相対的に開方向へ移動させる工程と、
本体筐体の抜止めフックを蓋体筐体に挿入し、本体筐体とスライダとを互いに当接させる工程と、
蓋体筐体を閉方向へ移動させて、抜止めフックを蓋体筐体のストッパ縁部に係合させるとともに、閉方向へ付勢されるスライダにより、抜止めフックをストッパ縁部に押圧し、本体筐体と蓋体筐体とを互いに位置決めする工程と、
スライダに本体筐体を固定する工程とを含んで成ることを特徴としている。
【発明の効果】
【００１４】
請求項１の発明に関わる電子機器によれば、蓋体筐体のストッパ縁部と対向するスライダの縁部に、本体筐体の抜止めフックと係合し得る係合部を設けたことで、本体筐体と蓋体筐体とを互いに組付ける際、蓋体筐体にユニット本体を設置したバネアシスト式スライドユニットのスライダが閉側端位置にあっても、上記係合部に抜止めフックを係合させてスライダを移動させることで、蓋体筐体のストッパ縁部との間に抜止めフックを差し入れることができる。
【００１５】
これにより、本体筐体の抜止めフックを蓋体筐体のストッパ縁部に係合させた状態で、上記本体筐体をバネアシスト式スライドユニットのスライダに設置することができ、もって本体筐体の保持と位置決めとが為されるために、組付け作業を容易かつ正確に実施でき、かつ品質の向上をも達成することが可能となる。
【００１６】
請求項２の発明に関わる電子機器の製造方法によれば、蓋体筐体のストッパ縁部と対向するスライダの縁部に、本体筐体の抜止めフックと係合し得る係合部を設けた電子機器を製造する際に、バネアシスト式スライドユニットにおけるスライダの係合部に本体筐体の抜止めフックを係止させ、次いで蓋体筐体とともにスライダを開方向へ移動させ、抜止めフックを蓋体筐体に挿入して本体筐体とスライダとを互いに当接させたのち、蓋体筐体を閉方向へ移動させて抜止めフックをストッパ縁部に係合させ、閉方向へ付勢されるスライダで抜止めフックをストッパ縁部に押圧し、本体筐体と蓋体筐体とを互いに位置決めさせることで、本体筐体の保持と位置決めとが為され、組付け作業を容易かつ正確に実施でき、かつ品質の向上をも達成することができる。
【発明を実施するための最良の形態】
【００１７】
以下、実施例を示す図面に基づいて、本発明を詳細に説明する。  
図１〜図１１は、電子機器の一態様である携帯電話機に本発明を適用した実施例を示しており、このスライド開閉式の携帯電話機１は、操作キー２Ｋ、２Ｋ…および送話部２Ｍ等を有する本体筐体２と、液晶表示部３Ｄおよび受話部３Ｒ等を有する蓋体筐体３とを備え、これら本体筐体２と蓋体筐体３とは、バネアシスト式スライドユニット１０を介して互いに連結されており、上記蓋体筐体３は、図１(ａ)に示す如く本体筐体２に重なって全体を覆う閉位置と、図１(ｂ)に示す如く本体筐体２の操作キー２Ｋ、２Ｋ…等を露呈させる開位置との間をスライド移動する。
【００１８】
本体筐体２と蓋体筐体３との間に介装されたバネアシスト式スライドユニット１０は、左右に一対のガイドレール１１ｇ、１１ｇを形成したベースフレーム１１ｂと共に付勢バネ(図示せず)を有するユニット本体１１と、該ユニット本体１１のガイドレール１１ｇ、１１ｇに沿って、図２および図３(ａ)に示した閉側端位置と、図３(ｂ)に示した開側端位置との間を移動し得るスライダ１２とを具備している。
【００１９】
図３に示す如く、上記スライダ１２は、ユニット本体１１の付勢バネ(図示せず)により、移動範囲の中央域を境にして閉側端位置へ向けた閉方向(矢印Ｖ)、および開側端位置へ向けた開方向(矢印Ｗ)へ付勢され、閉側端位置においても閉方向(矢印Ｖ)へ付勢されることで閉側端位置を維持し、また開側端位置においても開方向(矢印Ｗ)へ付勢されることで開側端位置を維持している。
【００２０】
一方、携帯電話機１の本体筐体２は、内ケース２Ｉと外ケース２Ｏとを互いに組付けて成り、また蓋体筐体３は内ケース３Ｉと外ケース３Ｏと互いに組付けて成っており、上記バネアシスト式スライドユニット１０は、ユニット本体１１(ベースフレーム１１ｂ)を蓋体筐体３の内ケース３Ｉにネジ止め設置され、スライダ１２を本体筐体２の内ケース２Ｉにネジ止め設置されている。
【００２１】
また、図５(ａ)に示す如く、本体筐体２における内ケース２Ｉには、抜止めフック２ｈが突出形成している一方、図５(ｂ)に示す如く、蓋体筐体３における内ケース３Ｉには、ストッパ縁部３ｓが形成されており、図１(ａ)および図６に示す如く、本体筐体２に対して蓋体筐体３が閉位置に占位している状態において、本体筐体２の抜止めフック２ｈが蓋体筐体３のストッパ縁部３ｓと係合し、これによって本体筐体２と蓋体筐体３との剥離が未然に防止されることとなる。
【００２２】
ここで、上記バネアシスト式スライドユニット１０のスライダ１２には、蓋体筐体３における内ケース３Ｉのストッパ縁部３ｓと対向する縁部１２ｅに、後述する携帯電話機１の組立て製造時において、上記本体筐体２の抜止めフック２ｈと係合し得る係合部１２Ｅが形成されており、この係合部１２Ｅは、蓋体筐体３における内ケース３Ｉの外表面３Ｉｆよりも、スライダ１２を外方に突出形成することによって構成されている。
【００２３】
以下では、上述したスライド開閉式の携帯電話機１を製造する際における、本体筐体２と蓋体筐体３とを互いに組付ける工程を順を追って説明する。  
先ず、図７に示す如く、蓋体筐体３の内ケース３Ｉにバネアシスト式スライドユニット１０のユニット本体１１(ベースフレーム１１ｂ)をネジ止めし、スライダ１２を閉側端位置に占位させておく。
【００２４】
次いで、閉側端位置に占位しているスライダ１２の係合部１２Ｅ(１２ｅ)に、本体筐体２における内ケース２Ｉの抜止めフック２ｈを当接(係合)させたのち、図８に示す如く、上記内ケース２Ｉを矢印Ｓで示す如く蓋体筐体３に対する開方向(相対的に本体筐体２の内ケース２Ｉに対して蓋体筐体３を開方向)へ移動させ、上記スライダ１２を蓋体筐体３に対する開方向へ移動させる。
【００２５】
こののち、図９に示す如く、本体筐体２の内ケース２Ｉを矢印Ｉ方向へ蓋体筐体３に向けて接近させ、抜止めフック２ｈを蓋体筐体３の内ケース３Ｉに差し入れるとともに、本体筐体２の内ケース２Ｉをスライダ１２に当接させて載置する。
【００２６】
次いで、図１０に示す如く、バネアシスト式スライドユニット１０のバネ(図示せず)により、閉方向(図中左方)へ付勢されるスライド１２に押され、本体筐体２の内ケース２Ｉが矢印Ｒ方向へ(閉方向)移動されることで、内ケース２Ｉの抜止めフック２ｈが蓋体筐体３のストッパ縁部３ｓと係合することとなる。
【００２７】
この状態において、閉方向(図中左方)へ付勢されるスライダ１２により、抜止めフック２ｈがストッパ縁部３ｓに押圧され、該ストッパ縁部３ｓとスライダ１２とによって抜止めフック２ｈが挟持されることで、上記内ケース２Ｉが蓋体筐体３に対して保持されるとともに、蓋体筐体３(蓋体筐体３に取付けられたバネアシスト式スライドユニット１０のスライダ１２)に対する内ケース２Ｉの位置決め、言い換えれば蓋体筐体３と内ケース２Ｉ(本体筐体２)との相対的な位置決めが為される。
【００２８】
このようにして、バネアシスト式スライドユニット１０のスライダ１２に対する内ケース２Ｉの位置決めが為されている状態において、上記内ケース２Ｉをスライダ１２にネジ止めすることで、蓋体筐体３に対する、言い換えれば本体筐体２と蓋体筐体３とを互いに組付ける工程が完了する。
【００２９】
以上、詳述した構成によれば、蓋体筐体３のストッパ縁部３ｓと対向するスライダ１２の縁部１２ｅに、本体筐体２の抜止めフック２ｈと係合し得る係合部１２Ｅを設けたことで、本体筐体２と蓋体筐体３とを互いに組付ける際、蓋体筐体３に設置したバネアシスト式スライドユニット１０のスライダ１２が閉側端位置にあっても、係合部１２Ｅに抜止めフック２ｈを係合させてスライダ１２を移動させることで、蓋体筐体３のストッパ縁部３ｓとの間に抜止めフック２ｈを差し入れることが可能となる。
【００３０】
そして、閉方向へ付勢されるスライダ１２により、抜止めフック２ｈをストッパ縁部３ｓとによって挟持することで、内ケース２Ｉを蓋体筐体３に対して保持でき、かつ内ケース２Ｉを蓋体筐体３(スライダ１２)に対して位置決めできるため、本体筐体２と蓋体筐体３との組付け作業を容易かつ正確に実施でき、もって携帯電話機の製造に関わる生産性の向上と併せ、品質の向上をも達成することが可能となる。
【００３１】
なお、上述した実施例においては、本発明を電子機器の一態様である携帯電話機に適用した例を示したが、携帯電話機やＰＨＳ(パーソナル・ハンディホン・システム)等の通信機器、あるいは電子辞書やＰＤＡ(パーソナル・データ・アシスタンス)等の携帯情報端末に限らず、バネアシスト式スライドユニットを介して本体筐体と蓋体筐体とを組付け、本体筐体を覆う閉位置と本体筐体を露呈させる開位置との間において、蓋体筐体をスライド可能に構成して成る様々な電子機器、および様々な電子機器の製造方法としても、本発明を極めて有効に適用し得ることは言うまでもない。
【図面の簡単な説明】
【００３２】
【図１】(ａ)および(ｂ)は、本発明に関わる電子機器の一実施例であるスライド開閉式の携帯電話機の閉状態および開状態を示す外観斜視図。
【図２】図１の携帯電話機における本体筐体の上ケースをバネアシスト式スライドユニットと共に示す上面平面図。
【図３】(ａ)および(ｂ)は、図１の携帯電話機におけるバネアシスト式スライドユニットのスライダが閉側端位置および開側端位置に占位した状態を示す平面図。
【図４】図１の携帯電話機における蓋体筐体の下ケースを示す底面平面図。
【図５】(ａ)は図４中の Va−Va 線断面図、(ｂ)は図２中の Vb−Vb 線断面図。
【図６】図１の携帯電話機における閉状態での本体筐体と蓋体筐体との位置関係を示す要部断面側面図。
【図７】図１の携帯電話機における組立て工程を示す要部断面図。
【図８】図１の携帯電話機における組立て工程を示す要部断面図。
【図９】図１の携帯電話機における組立て工程を示す要部断面図。
【図１０】図１の携帯電話機における組立て工程を示す要部断面図。
【図１１】(ａ)および(ｂ)は、従来のスライド開閉式の携帯電話機の閉状態および開状態を示す外観斜視図。
【図１２】従来のスライド開閉式の携帯電話機における本体筐体と蓋体筐体とを分離した状態を示す外観斜視図。
【図１３】(ａ)および(ｂ)は、従来のスライド開閉式の携帯電話機における閉状態および開状態を示す側面断面図。
【符号の説明】
【００３３】
１…携帯電話機(電子機器)、
２…本体筐体、
２Ｉ…内側ケース、
２ｈ…抜止めフック、
３…蓋体筐体、
３Ｉ…内側ケース、
３ｓ…ストッパ縁部、
１０…バネアシスト式スライドユニット、
１１…ユニット本体、
１２…スライダ、
１２Ｅ…係合部。
【図１】
2008147867.tif 000003
【図２】
2008147867.tif 000004
【図３】
2008147867.tif 000005
【図４】
2008147867.tif 000006
【図５】
2008147867.tif 000007
【図６】
2008147867.tif 000008
【図７】
2008147867.tif 000009
【図８】
2008147867.tif 000010
【図９】
2008147867.tif 000011
【図１０】
2008147867.tif 000012
【図１１】
2008147867.tif 000013
【図１２】
2008147867.tif 000014
【図１３】
2008147867.tif 000015